【手続補正書】
【提出日】平成17年4月8日(2005.4.8)
【手続補正１】
【補正対象書類名】特許請求の範囲
【補正対象項目名】全文
【補正方法】変更
【補正の内容】
【特許請求の範囲】
【請求項１】
個性化データベース及び外部ユーザ・データベースへ透明なアクセスを提供するため統一化されたユーザ・プロファイルを生成する方法であって、
（ａ）前記個性化データベースにアクセスするために個性化サーバーを通じて動作するように適合され、それを介して個性化データベースから内在的及び外在的属性が検索されて更新できる透明なインターフェイスを与えるように適合された基本ユーザ・ジャバビーンを得るステップと、
（ｂ）外部のユーザ・データベースから前記内在的及び外在的属性がさらに検索されて更新できるように基本ユーザ・ジャバビーンを拡張するためにエンタプライズ・ジャバビーンを生成するステップと、
を含む方法。
【請求項２】
拡張された前記基本ユーザ・ジャバビーンを通じて前記外部データベースへの透明な読出し及び書込みアクセスを生成するステップをさらに含む請求項１記載の方法。
【請求項３】
前記読出し及び書込みアクセスを与えるためにサーバーを構成するステップをさらに含む請求項１記載の方法。
【請求項４】
前記サーバーが、個性化サーバーである請求項３記載の方法。
【請求項５】
前記外部ユーザ・データベースが、レガシー・データベース、企業データベース、及び顧客データベースからなるグループから選択されたものである請求項１記載の方法。
【請求項６】
前記外部ユーザ・データベースが、認証情報、ユーザ・リスト、グループ・リスト及びグループ・メンバーシップからなるグループから選択されたデータを含む請求項１記載の方法。
【請求項７】
前記外部ユーザ・データベース及び前記個性化データベース内のデータの認証を可能にするように適合されたセキュリテイ領域を得るステップをさらに含む請求項１記載の方法。
【請求項８】
拡張された基本ユーザ・ジャバビーンが属性組を使用し、前記属性組が前記個性化データベース内の前記データの内在的及び外在的な属性に名前空間資格を与えるように適合されている請求項１記載の方法。
【請求項９】
前記内在的及び外在的属性が、属性獲得及び設定を含む請求項８記載の方法。
【請求項１０】
複数のデータソースを透明にアクセスするための方法であって、
（ａ）内部データソースにアクセスするためにサーバーを通じて動作するように適合され、それを介して内在的及び外在的属性が検索されて更新できる透明なインターフェイスを与えるように適合された基本ユーザ・ジャバビーンを得るステップと、
（ｂ）少なくとも１つの外部のデータソースからそれを介して内在的及び外在的属性が検索されて更新できるよう透明なインターフェイスを与えるため前記基本ユーザ・ジャバビーンがさらに適合されるようにユーザ・ジャバビーンを拡張するステップと、
を含む方法。
【請求項１１】
前記透明なインターフェイスを操作するようにサーバーを構成するステップをさらに含む請求項１０記載の方法。
【請求項１２】
前記外部データソース及び前記内部データソース内のデータの認証を可能にするように適合されたセキュリテイ領域を得るステップをさらに含む請求項１０記載の方法。
【請求項１３】
拡張されたユーザ・ジャバビーンのために属性組を構成するステップをさらに含む請求項１０記載の方法。
【請求項１４】
前記属性組が、前記内部及び外部データソース内の前記データの内在的及び外在的な属性に名前空間資格を与えるように適合されている請求項１２記載の方法。
【請求項１５】
前記内在的及び外在的属性が、属性獲得及び設定を含む請求項１４記載の方法。
【請求項１６】
前記内部及び外部データソース内の前記データの属性が外在的であるかどうかを決定するためにレフレクションを使用するステップをさらに含む請求項１４記載の方法。
【請求項１７】
サーバーにより実行される時にサーバーが次のステップを行う命令を含んだコンピュータ読み取り可能な記憶媒体であって、
（ａ）第１データベースにアクセスするためにサーバーを通じて動作し、それを介して第１データベースから内在的及び外在的な属性を検索し更新できる透明なインターフェイスを与えるように適合された基本ユーザ・ジャバビーンを得るステップと、
（ｂ）第２データベースから前記内在的及び外在的属性をさらに検索して更新できるように基本ユーザ・ジャバビーンを拡張するためにエンタプライズ・ジャバビーンを生成するステップと、
を含むコンピュータ読み取り可能な記憶媒体。
【請求項１８】
サーバーがさらに、拡張された前記基本ユーザ・ジャバビーンにより第２データベースへの透明な読出し及び書込みアクセスを生成するようにする請求項１７記載のコンピュータ読み取り可能な記憶媒体。
【請求項１９】
サーバーがさらに、第１データベース及び第２データベースの中のデータを認証するように適合されたセキュリテイ領域を得るようにする請求項１７記載のコンピュータ読み取り可能な記憶媒体。
【請求項２０】
拡張された基本ユーザ・ジャバビーンが属性組を使用し、前記属性組が前記第１データベース内の前記データの内在的及び外在的な属性に名前空間資格を与えるように適合されている請求項１７記載のコンピュータ読み取り可能な記憶媒体。
【請求項２１】
拡張された基本ユーザ・ジャバビーンが属性の獲得及び設定を使用する請求項１７記載のコンピュータ読み取り可能な記憶媒体。
【請求項２２】
個性化データベース及び外部ユーザ・データベースへの透明なアクセスを提供するために統一化されたユーザ・プロファイルを生成する際に使用するシステムであって、
（ａ）前記個性化データベースへアクセスするために個性化サーバーを通じて動作するように適合された基本ユーザ・ジャバビーンであって、透明なインターフェイスを提供してそれを通じて個性化データベースから外在的及び内在的属性を検索及び更新できるように適合された前記基本ユーザ・ジャバビーンと、
（ｂ）前記外在的及び内在的属性がさらに外部ユーザ・データベースから検索されて更新できるように基本ユーザ・ジャバビーンを拡張するように適合されたエンタプライズ・ジャバビーンと、
を備えるシステム。
【請求項２３】
拡張された前記基本ユーザ・ジャバビーンを介して前記外部データベースへの透明な読出し及び書込みアクセスを生成する手段をさらに含む請求項２２に記載のシステム。
【請求項２４】
前記読出し及び書込みアクセスを提供するためにサーバーを構成する手段をさらに備える請求項２２に記載のシステム。
【請求項２５】
前記サーバーが、個性化サーバーである請求項２２に記載のシステム。
【請求項２６】
前記外部ユーザ・データベースが、レガシー・データベース、企業データベース、及び顧客データベースからなるグループから選択されたものである請求項２２記載のシステム。
【請求項２７】
前記外部ユーザ・データベースが、認証情報、ユーザ・リスト、グループ・リスト及びグループ・メンバーシップからなるグループから選択されたデータを含む請求項２２記載のシステム。
【請求項２８】
前記外部ユーザ・データベース及び前記個性化データベース内のデータの認証を可能にするように適合されたセキュリテイ領域を得る手段をさらに含む請求項２２に記載のシステム。
【請求項２９】
拡張された基本ユーザ・ジャバビーンが属性組を使用し、前記属性組が前記個性化データベース内の前記データの内在的及び外在的な属性に名前空間資格を与えるように適合されている請求項２２記載のシステム。
【請求項３０】
複数のデータソースへの透明なアクセスのためのシステムであって、
（ａ）内部データソースへアクセスするためにサーバーを通じて動作するように適合された基本ユーザ・ジャバビーンであって、透明なインターフェイスを提供してそれを通じて外在的及び内在的属性を検索及び更新できるように適合された前記基本ユーザ・ジャバビーンと、
（ｂ）少なくとも１つの外部データソースから外在的及び内在的属性が検索されて更新できる透明なインターフェイスを提供するために前記基本ユーザ・ジャバビーンがさらに適合されるように前記ユーザ・ジャバビーンを拡張するための手段と、
を備えるシステム。